(57)【要約】【課題】本発明は、遊技機情報や遊技機管理システムの管理する店舗における遊技機の稼働状況を含む店舗情報を管理会社用サーバにて記憶し、各種情報を送信先にリアルタイムに返信、または送信し、送信先に遊技機の魅力や店舗のサービス状況を軸速且つ確実に伝え、送信先における遊技機及び店舗の把握を容易とすることを目的としている。【解決手段】このため、店舗毎に設置される遊技機管理システムを設けるとともに、遊技機管理システムが公衆回線網を介して接続される管理会社用サーバを設け、管理会社用サーバは遊技機情報と店舗情報とを項目毎に記憶し、送信先からの要求信号があった際には、要求に応じて項目を開示し、選択された項目に応じて要求されたデータを送信先に返信している。また、予め送信先が登録されている場合には、更新された項目のデータを送信先に送信している。【選択図】図１
2006081645.tif 000002
【特許請求の範囲】
【請求項１】
店舗毎に設置される遊技機管理システムを設けるとともに、この遊技機管理システムが公衆回線網を介して接続される管理会社用サーバを設け、この管理会社用サーバは遊技機情報と店舗情報とを項目毎に記憶し、送信先からの要求信号があった際には、要求に応じて項目を開示し、選択された項目に応じて要求されたデータを前記送信先に返信することを特徴とする遊技機の情報管理提供システム。
【請求項２】
店舗毎に設置される遊技機管理システムを設けるとともに、この遊技機管理システムが公衆回線網を介して接続される管理会社用サーバを設け、この管理会社用サーバは遊技機情報と店舗情報とを項目毎に記憶し、予め送信先が登録されている場合には、更新された項目のデータを前記送信先に送信することを特徴とする遊技機の情報管理提供システム。
【請求項３】
前記遊技機管理システムは、店舗毎に設けられ、店舗内の映像や店舗内に設置される遊技機毎の稼働状況を管理することを特徴とする請求項１または請求項２に記載の遊技機の情報管理提供システム。
【請求項４】
前記管理会社用サーバは、遊技機の管理機種一覧や機種情報、遊技機の出目情報、遊技機の攻略情報、新台情報からなる遊技機情報と、管理店舗一覧や店舗内映像、店舗からの情報、店舗へのコンタクトからなる店舗情報とを項目毎に記憶し、送信先からの要求信号があった際に、要求に応じて遊技機情報と店舗情報との項目を開示し、選択された項目に応じて最新のデータをリアルタイムに前記送信先に返信することを特徴とする請求項１または請求項２に記載の遊技機の情報管理提供システム。
【請求項５】
前記送信先は、携帯電話や端末装置、ＦＡＸ、電話、カーナビゲーションからなることを特徴とする請求項１または請求項２に記載の遊技機の情報管理提供システム。
【発明の詳細な説明】
【技術分野】
【０００１】
この発明は遊技機の情報管理提供システムに係り、特に遊技機情報や遊技機管理システムの管理する店舗における遊技機の稼働状況を含む店舗情報を記憶し、各種情報を送信先にリアルタイムに返信、または送信し、送信先に遊技機の魅力や店舗のサービス状況を伝える遊技機の情報管理提供システムに関するものである。
【背景技術】
【０００２】
遊技機としては、パチンコ機やスロットマシンがある。そして、現在の遊技機、例えばパチンコ機は、所定の入賞口に球が進入することによって図柄表示装置が動作し、この図柄表示装置に表示される図柄を変動させ、変動後に所定の状態に図柄が表示された際に「大当たり」となり、大型の入賞口を所定回数且つ所定時間だけ断続的に開放させるものである。
【０００３】
また、遊技機であるパチンコ機を設置している店舗では、店舗内をカメラによって画像管理しているとともに、全てのパチンコ機を遊技機管理システムの店舗用管理サーバに接続させ、この店舗用管理サーバによって、各パチンコ機の稼働状況、つまり大当たりの発生回数、図柄の変動回数、出球数等の情報を集計し、設置されているパチンコ機を集中管理している。
【０００４】
【特許文献１】特開２００４−７２２号公報
【特許文献２】特開２００４−５３２５号公報
【特許文献３】特開２００４−１２１６３８号公報
【発明の開示】
【発明が解決しようとする課題】
【０００５】
ところで、従来においては、上述の背景技術にて説明したように、遊技機、例えばパチンコ機を設置している店舗の遊技機管理システムの店舗用管理サーバによって、各パチンコ機が集中管理されている。
【０００６】
そして、店舗においては、遊技機管理システムの店舗用管理サーバによって各パチンコ機を集中管理するとともに、この集中管理している種々情報の一部を、パチンコ機の上部に設けた情報表示部を使用して開示している。
【０００７】
このとき、遊技機管理システムの店舗用管理サーバによって集中管理している種々情報の一部は、実際に店舗を訪れ、パチンコ機の情報表示部を直接、あるいは少々の操作をすることによって見ることができる。
【０００８】
しかし、パチンコ機の情報表示部を直接見ることのできない状態、例えば店舗を訪れていない場合や遠隔地にいる場合等においては、遊技機管理システムの店舗用管理サーバによって集中管理している種々情報をリアルタイムに知ることができないという不都合がある。
【０００９】
追記すれば、一般に、店舗を訪れた顧客は、パチンコ機の情報表示部に開示される種々情報を見て、パチンコ機の稼働状況を把握し、パチンコ機を選択する際の目安としており、その場で確認しない限り、パチンコ機の稼働状況を把握することができないため、パチンコ機に関する情報収集には限りがある。
【００１０】
つまり、店舗を訪れた顧客が特定のパチンコ機を選択する際に、店舗のパチンコ機の設置規模やパチンコ機の管理状況、パチンコ機の稼働状況の表示状態等によって、情報収集できる台数には限りがある。そして、店舗を訪れた顧客が十分な情報収集ができない場合には、パチンコ機を選択しないという状況も発生する。
【００１１】
また、近時、パチンコ機においては、顧客の興味を増幅させるために、種々のリーチ予告のみでなく、通常リーチや多種のスーパーリーチの動作画像を有しているが、これらの動作画像は、実際にパチンコ機を動作させない限り見ることのできない状況にあり、店舗側としては、種々のリーチ予告や通常リーチ、そして多種のスーパーリーチの動作画像を掲示板の張り紙や小冊子にて説明している。
【００１２】
しかし、種々のリーチ予告や通常リーチ、そして多種のスーパーリーチの動作画像を掲示板の張り紙や小冊子で説明する場合には、例えばスーパーリーチの特定部位の画像のみを開示させることとなるため、動画による迫力や効果音等を体験することができず、パチンコ機の魅力を顧客に十分に伝えることができないという不都合がある。
【００１３】
よって、この発明の目的は、遊技機情報や遊技機管理システムの管理する店舗における遊技機の稼働状況を含む店舗情報を管理会社用サーバにて記憶し、送信先からの要求信号があった際に、要求に応じて項目を開示し、選択された項目に応じて要求されたデータを送信先にリアルタイムに返信し、送信先に遊技機の魅力や店舗のサービス状況を軸速且つ確実に伝え、送信先における遊技機及び店舗の把握を容易とする点にある。
【課題を解決するための手段】
【００１４】
そこで、この発明は、上述不都合を除去するために、店舗毎に設置される遊技機管理システムを設けるとともに、この遊技機管理システムが公衆回線網を介して接続される管理会社用サーバを設け、この管理会社用サーバは遊技機情報と店舗情報とを項目毎に記憶し、送信先からの要求信号があった際には、要求に応じて項目を開示し、選択された項目に応じて要求されたデータを前記送信先に返信することを特徴とする。
【００１５】
また、
店舗毎に設置される遊技機管理システムを設けるとともに、この遊技機管理システムが公衆回線網を介して接続される管理会社用サーバを設け、この管理会社用サーバは遊技機情報と店舗情報とを項目毎に記憶し、予め送信先が登録されている場合には、更新された項目のデータを前記送信先に送信することを特徴とする。
【発明の効果】
【００１６】
以上詳細に説明した如くこの本発明によれば、店舗毎に設置される遊技機管理システムを設けるとともに、遊技機管理システムが公衆回線網を介して接続される管理会社用サーバを設け、管理会社用サーバは遊技機情報と店舗情報とを項目毎に記憶し、送信先からの要求信号があった際には、要求に応じて項目を開示し、選択された項目に応じて要求されたデータを送信先に返信することにより、前記管理会社用サーバによって、送信先の選択した項目に応じて最新のデータを送信先にリアルタイムに返信することができ、送信先に遊技機の魅力や店舗のサービス状況を迅速且つ確実に伝達でき、送信先における遊技機及び店舗の把握を容易とし得る。
【００１７】
また、店舗毎に設置される遊技機管理システムを設けるとともに、この遊技機管理システムが公衆回線網を介して接続される管理会社用サーバを設け、管理会社用サーバは遊技機情報と店舗情報とを項目毎に記憶し、予め送信先が登録されている場合には、更新された項目のデータを送信先に送信することにより、データが更新される度に、更新された項目のデータを送信先にリアルタイムに送信することができ、送信先への店舗のアピール度合いを増加させることができるとともに、送信先の遊技機に対する興味をより一層拡大させることができ、実用上有利である。
【発明を実施するための最良の形態】
【００１８】
上述の如く発明したことにより、送信先からの要求信号があった際には、管理会社用サーバによって、要求に応じて項目を開示し、選択された項目に応じて要求されたデータを送信先に返信し、送信先に遊技機の魅力や店舗のサービス状況を迅速且つ確実に伝達し、送信先における遊技機及び店舗の把握を容易としている。
【００１９】
また、予め送信先が登録されている場合には、管理会社用サーバによって、更新された項目のデータを送信先にリアルタイムに送信し、送信先への店舗のアピール度合いを増加させるとともに、送信先の遊技機に対する興味をより一層拡大させている。
【実施例】
【００２０】
以下図面に基づいてこの発明の実施例を詳細に説明する。
【００２１】
図１〜図１０はこの発明の実施例を示すものである。図２において、２は図示しない遊技機の情報管理提供システムである。
【００２２】
この情報管理提供システム２は、図２に示す如く、複数の店舗、例えば３つの店舗Ａ、店舗Ｂ、店舗Ｃ毎に夫々設置される遊技機管理システム４である第１〜第３遊技機管理システム４Ａ、４Ｂ、４Ｃと、これらの第１〜第３遊技機管理システム４Ａ、４Ｂ、４Ｃが公衆回線網を介して接続される管理会社用サーバ６と有している。
【００２３】
ここで、前記第１〜第３遊技機管理システム４Ａ、４Ｂ、４Ｃの例えば第１遊技機管理システム４Ａについて説明する。
【００２４】
先ず、店舗Ａ内は、図３に示す如く、遊技スペース８と管理スペース１０とに区画される。
【００２５】
そして、前記遊技スペース６に、パチンコ機やスロットマシンからなる遊技機１２を整列配置するとともに、遊技スペース６の壁部や天井の任意の箇所にＷＥＢカメラ１４−１、１４−２を配置している。
【００２６】
前記管理スペース１０には、ＷＥＢカメラ１４−１、１４−２を接続させるとともに、全ての遊技機１２を接続させる店舗用管理サーバ１６を設け、この店舗用管理サーバ１６によって、ＷＥＢカメラ１４−１、１４−２の画像管理を行っているとともに、遊技機１２毎、例えば各パチンコ機毎の稼働状況、つまり大当たりの発生回数、図柄の変動回数、出球数等の情報を集計し、パチンコ機を集中管理している。
【００２７】
このとき、前記管理会社用サーバ６は、「遊技機情報」と「店舗情報」とを項目毎に記憶し、送信先１８からの要求信号があった際に、要求に応じて項目を開示し、選択された項目に応じて要求されたデータを前記送信先１８に返信する機能を有している。
【００２８】
詳述すれば、前記管理会社用サーバ６は、図４に示す如く、「遊技機情報」と「店舗情報」とを項目毎に、且つリアルタイムに管理する。
【００２９】
つまり、前記管理会社用サーバ６における「遊技機情報」及び「店舗情報」の更新の頻度に関しては、常時の更新のみでなく、所定時間毎や、前記送信先１８からの要求信号があった際、あるいは遊技機１２において「大当たり」が発生した際等に更新を行うことが考えられる。
【００３０】
このとき、「遊技機情報」は、遊技機１２の管理機種一覧や機種情報、遊技機１２の出目情報、遊技機１２の攻略情報、新台情報からなる。
【００３１】
つまり、「遊技機情報」において、
（１）遊技機１２の管理機種一覧は、図５に示す如く、遊技機１２を製造するメーカー名や機種名等が開示されるものである。
（２）機種情報は、図６（ａ）及び（ｂ）に示す如く、遊技機１２、例えばパチンコ機の確変（「確率変動」ともいう。）絵柄や通常絵柄からなる大当たり絵柄や、大当たり確率や賞球、平均出玉等からなる基本仕様を開示するものである。
また、遊技機１２がスロットマシンの場合には、図７（ａ）〜（ｆ）に示す如く、スロットマシンの題字や概略図、基本スペック、リーチ目、入賞図柄、そしてリール配列等の種々要部を開示するものである。
（３）遊技機１２の出目情報は、遊技機１２、例えばスロットマシンにおいて、顧客の操作によって実際に開示された絵柄の配列を順次開示するのみならず、大当たりを予測できる絵柄の配列を開示するものである。
（４）遊技機１２の攻略情報は、遊技機１２の製造会社の提供する攻略情報や雑誌社の提供する攻略情報、あるいは一般人の提供する攻略情報を開示するものである。
（５）新台情報は、遊技機１２の製造会社の提供する新台情報や雑誌社の提供する新台情報を開示するものである。
【００３２】
また、「店舗情報」は、管理店舗一覧や店舗内映像、店舗からの情報、店舗へのコンタクトからなる。
【００３３】
つまり、「店舗情報」において、
（１）管理店舗一覧は、前記情報管理提供システム２の管理会社用サーバ６に公衆回線網を介して接続される複数の店舗、例えば３つの店舗Ａ、店舗Ｂ、店舗Ｃの名称を開示するものである。
（２）店舗内映像は、前記店舗用管理サーバ１６により管理されるＷＥＢカメラ１４−１、１４−２の撮影した実際の店舗内の画像を開示するものである。
なお、実際の店舗内の画像としては、前記遊技機１２の不良調整の際に、店舗内の係員が遊技機１２を開放させた時をＷＥＢカメラ１４−１、１４−２によって撮影する画像も含まれる。
そして、前記送信先１８から撮影方向の変更や遊技機１２のズームアップ等の要求があった場合には、この要求に合致する映像をＷＥＢカメラ１４−１、１４−２により撮影し、撮影した画像を開示する場合もある。
（３）店舗からの情報は、各種遊技機１２の設置状況（遊技機の種類及び設置台数、設置場所）や遊技機１２の稼働状況（特に優良な遊技機１２の台数を知り得る情報）、店舗における新台の入れ替え時期や入れ替えする新台名等からなる新台入れ替え情報、店舗の提供するイベント情報等を開示するものである。
例えば、遊技機１２の稼働状況において、遊技機１２がパチンコ機の場合には、パチンコ機の上部に、図８に示す如く、横長の情報表示部２０や、図９（ａ）〜（ｃ）に示す如く、四角形状の情報表示部２２−１、２２−２、２２−３が設けられている。
そして、これらの情報表示部２０、２２−１、２２−２、２２−３に、本日の大当たりまでの回転数や本日の大当たり回数、本日の大当たりの種類（単発あるいは確率変動）、本日までの最大大当たり回数、昨日の大当たり回数等を表示させており、これらの情報を遊技機１２の稼働状況として提供すれば、優良な遊技機１２の台数を知り得る情報となるものである。
また、前記店舗用管理サーバ１６により各パチンコ機毎に動作状況を集計し、図１０に示す如く、例えば１３時間体感グラフ（出玉推移）を作成して、遊技機１２の稼働状況として提供することも可能である。
（４）店舗へのコンタクトは、前記送信先１８からの店舗に対する新台希望の投票や予想投票からなる。
なお、新台希望の投票とは、店舗に導入する遊技機の種類を要望する際に使用するものである。
また、予想投票とは、例えば店舗における翌日の優秀遊技機のベスト３の予想を送信先１８から募ることであり、当選者にはグッズ等の景品プレゼントの実施を図るものである。
更に、実際に遊技機１２を操作して遊んだ後の感想を、店舗へのコンタクトとして、前記送信先１２から店舗に送信することも可能である。
【００３４】
更に、前記情報管理提供システム２の管理会社用サーバ６は、遊技機１２の管理機種一覧や機種情報、遊技機の出目情報、遊技機の攻略情報、新台情報からなる「遊技機情報」と、管理店舗一覧や店舗内映像、店舗からの情報、店舗へのコンタクトからなる「店舗情報」とを項目毎に記憶し、送信先１８からの要求信号があった際に、要求に応じて「遊技機情報」と「店舗情報」との項目を開示し、選択された項目に応じて最新のデータをリアルタイムに前記送信先１８に返信する。
【００３５】
つまり、前記管理会社用サーバ６は、複数の店舗、例えば３つの店舗Ａ、店舗Ｂ、店舗Ｃ毎に夫々設置される第１〜第３遊技機管理システム４Ａ、４Ｂ、４Ｃに公衆回線網を介して接続されており、店舗Ａ、店舗Ｂ、店舗Ｃ側からの情報を入力し、常時データを更新し、最新のデータの確保を図るとともに、店舗Ａ、店舗Ｂ、店舗Ｃ側に店舗へのコンタクト内容を常時送信し、情報の流れを円滑とするものである。
【００３６】
更にまた、前記送信先１８としては、図２に示す如く、公衆回線網を利用して接続される携帯電話１８−１やインターネットを利用して接続される端末装置１８−２、公衆回線網を利用して接続されるファクシミリ（「ＦＡＸ」とも記載する。）１８−３、公衆回線網を利用して接続される一般的な電話１８−４、そしてＧＰＳ（Ｇｌｏｂａｌ  Ｐｏｓｉｔｉｏｎｉｎｇ  Ｓｙｓｔｅｍ、「全地球位置把握システム」）を利用して接続されるカーナビゲーション１８−５等が考えられる。
【００３７】
また、前記情報管理提供システム２は、前記管理会社用サーバ６に予め送信先１８が登録されている場合には、更新された項目のデータを送信先１８に送信する機能をも有している。
【００３８】
つまり、送信先１８においては、常時情報収集を希望する者もおり、このような場合には、前記管理会社用サーバ６に送信先１８の事前登録を依頼し、更新された項目のデータを送信先１８にリアルタイムに送信するものである。
【００３９】
そして、「遊技機情報」及び「店舗情報」の項目が更新される場合としては、上述した前記管理会社用サーバ６における「遊技機情報」及び「店舗情報」の更新の頻度のみでなく、「契機」がある。
【００４０】
このとき、前記「契機」としては、遊技機の新台導入時や店舗改装時、店舗のサービスデーの開催時等が考えられる。
【００４１】
次に作用を説明する。
【００４２】
先ず、前記情報管理提供システム２の概略的な工程を説明すると、情報管理提供システム２の前記管理会社用サーバ６は、前記送信先１８からの要求信号の有無を判断する処理（ステップ１００）を行い、送信先１８からの要求信号があった際に、送信先１８からの要求に応じて、「遊技機情報」と「店舗情報」との項目を開示する処理（ステップ１０２）を行っている。
【００４３】
そして、この処理（ステップ１０２）によって開示される「遊技機情報」と「店舗情報」とから送信先１２が任意の項目を選択した際には、選択された項目に応じて要求されたデータを前記送信先１８に返信する処理（ステップ１０４）が行われる。
【００４４】
次に、前記送信先１８からの要求信号があった後の前記情報管理提供システム２の管理会社用サーバ６による動作を詳述する。
【００４５】
前記送信先１８が「遊技機情報」の「（１）遊技機１２の管理機種一覧」の項目を選択した際には、前記管理会社用サーバ６から選択された項目に応じて最新のデータを前記送信先１８に返信し、送信先１８に、図５に示す如く、メーカー名や機種名等を開示させる。
【００４６】
また、前記送信先１８が「遊技機情報」の「（２）機種情報」の項目を選択した際には、前記管理会社用サーバ６から選択された項目に応じて最新のデータを前記送信先１８に返信し、送信先１８に、図６（ａ）及び（ｂ）に示す如く、遊技機１２、例えばパチンコ機の大当たり絵柄や基本仕様を開示させるとともに、遊技機１２がスロットマシンの場合には、図７（ａ）〜（ｆ）に示す如く、スロットマシンの種々要点を開示させる。
【００４７】
更に、前記送信先１８が「遊技機情報」の「（３）遊技機１２の出目情報」の項目を選択した際には、前記管理会社用サーバ６から選択された項目に応じて最新のデータを前記送信先１８に返信し、送信先１８に、遊技機１２、例えばスロットマシンにおいて、実際に開示された絵柄の配列や大当たりを予測できる絵柄の配列を開示させる。
【００４８】
更にまた、前記送信先１８が「遊技機情報」の「（４）遊技機１２の攻略情報」の項目を選択した際には、前記管理会社用サーバ６から選択された項目に応じて最新のデータを前記送信先１８に返信し、送信先１８に、遊技機１２の製造会社の提供する攻略情報や雑誌社の提供する攻略情報、あるいは一般人の提供する攻略情報を開示させる。
【００４９】
また、前記送信先１８が「遊技機情報」の「（５）新台情報」の項目を選択した際には、前記管理会社用サーバ６から選択された項目に応じて最新のデータを前記送信先１８に返信し、送信先１８に、遊技機１２の製造会社の提供する新台情報や雑誌社の提供する新台情報を開示させる。
【００５０】
更に、前記送信先１８が「店舗情報」の「（１）管理店舗一覧」の項目を選択した際には、前記管理会社用サーバ６から選択された項目に応じて最新のデータを前記送信先１８に返信し、送信先１８に、前記情報管理提供システム２の管理会社用サーバ６に公衆回線網を介して接続される複数の店舗、例えば３つの店舗Ａ、店舗Ｂ、店舗Ｃを開示させる。
【００５１】
更にまた、前記送信先１８が「店舗情報」の「（２）店舗内映像」の項目を選択した際には、前記管理会社用サーバ６から選択された項目に応じて最新のデータを前記送信先１８に返信し、送信先１８に、前記店舗用管理サーバ１６により管理されるＷＥＢカメラ１４−１、１４−２の撮影した画像や送信先１８から撮影方向の変更やズームアップ等の要求があった場合の要求に合致する映像をＷＥＢカメラ１４−１、１４−２により撮影して開示させる。
【００５２】
また、前記送信先１８が「店舗情報」の「（３）店舗からの情報」の項目を選択した際には、前記管理会社用サーバ６から選択された項目に応じて最新のデータを前記送信先１８に返信し、送信先１８に、各種遊技機１２の設置状況（遊技機の台数）や遊技機１２の稼働状況、店舗における新台入れ替え情報、イベント情報等を開示させる。
【００５３】
更に、前記送信先１８が「店舗情報」の「（４）店舗へのコンタクト」の項目を選択した際には、選択された項目に応じて送信先１８からの店舗に対する新台希望の投票や予想投票を前記管理会社用サーバ６に記憶し、店舗Ａ、店舗Ｂ、店舗Ｃ側の該当する店舗に「店舗へのコンタクト」内容を常時送信させる。
【００５４】
前記管理会社用サーバ６に予め送信先１８が登録されている場合には、前記管理会社用サーバ６における「遊技機情報」及び「店舗情報」の更新時のみでなく、「契機」である遊技機の新台導入時や店舗改装時、店舗のサービスデーの開催時等の際に、更新された項目のデータを送信先１８に送信させる。
【００５５】
これにより、「遊技機情報」と「店舗情報」とを項目毎に記憶し、送信先１８からの要求信号があった際に、要求に応じて項目を開示し、選択された項目に応じて要求されたデータを前記送信先１８に返信する機能を有する前記管理会社用サーバ６によって、送信先１８の選択した項目に応じて最新のデータを送信先１８にリアルタイムに返信することができ、送信先１８に遊技機の魅力や店舗のサービス状況を迅速且つ確実に伝達でき、送信先１８における遊技機及び店舗の把握を容易とし、実用上有利である。
【００５６】
また、前記第１〜第３遊技機管理システム４Ａ、４Ｂ、４Ｃは、ＷＥＢカメラ１４−１、１４−２の画像管理や、遊技機１２毎、例えば各パチンコ機毎の稼働状況、つまり大当たりの発生回数、図柄の変動回数、出球数等の情報を集計し、集中管理する機能を有することにより、これらの第１〜第３遊技機管理システム４Ａ、４Ｂ、４Ｃに公衆回線網を介して接続させた前記管理会社用サーバ６によって、送信先１８の選択した項目に応じて最新のデータである画像や種々の遊技機１２の稼働状況を送信先１８にリアルタイムに返信することができ、前記情報管理提供システム２の信頼性を向上し得るものである。
【００５７】
更に、前記情報管理提供システム２の管理会社用サーバ６は、
（１）遊技機１２の管理機種一覧
（２）機種情報
（３）遊技機１２の出目情報
（４）遊技機１２の攻略情報
（５）新台情報
からなる「遊技機情報」と、
（１）管理店舗一覧
（２）店舗内映像
（３）店舗からの情報
（４）店舗へのコンタクト
からなる「店舗情報」とを項目毎に管理し、送信先１８からの要求信号があった際に、要求に応じて「遊技機情報」と「店舗情報」との項目を開示し、選択された項目に応じて最新のデータを前記送信先１８に返信することにより、送信先１８は項目毎に開示される「遊技機情報」と「店舗情報」との中から任意の項目を選択するのみでよく、前記情報管理提供システム２の使い勝手を向上させることができるものである。
【００５８】
更にまた、前記送信先１８は、公衆回線網にて接続される携帯電話１８−１やインターネットにて接続される端末装置１８−２、公衆回線網にて接続されるファクシミリ（「ＦＡＸ」とも記載する。）１８−３、公衆回線網にて接続される電話１８−４、そしてＧＰＳ（Ｇｌｏｂａｌ  Ｐｏｓｉｔｉｏｎｉｎｇ  Ｓｙｓｔｅｍ、「全地球位置把握システム」）を利用するカーナビゲーション１８−５からなることにより、前記情報管理提供システム２を使用する送信先１８側を徒に限定することがなく、送信先１８側の間口を広く開放させることができ、前記情報管理提供システム２の汎用性の向上に寄与し得る。
【００５９】
また、前記情報管理提供システム２は、前記管理会社用サーバ６に予め送信先１８が登録されている場合に、更新された項目のデータを送信先１８に送信する機能を有することにより、前記管理会社用サーバ６における「遊技機情報」及び「店舗情報」の更新時や、「契機」である遊技機の新台導入時や店舗改装時、店舗のサービスデーの開催時等の際にデータを更新し、データが更新される度に、更新された項目のデータを送信先１８にリアルタイムに送信することができ、送信先１８への店舗のアピール度合いを増加させることができるとともに、送信先１８の遊技機に対する興味をより一層拡大させることができ、実用上有利である。
【００６０】
なお、この発明は上述実施例に限定されるものではなく、種々の応用改変が可能である。
【００６１】
例えば、この発明の実施例においては、遊技機管理システムが、ＷＥＢカメラの画像管理や、遊技機毎、例えば各パチンコ機毎の稼働状況、つまり大当たりの発生回数、図柄の変動回数、出球数等の情報を集計し、集中管理する機能を有するとともに、この遊技機管理システムに公衆回線網を介して接続させた管理会社用サーバによって、送信先の選択した項目に応じて最新のデータである画像や種々の遊技機の稼働状況を送信先にリアルタイムに返信するする構成としたが、大当たりの発生回数、図柄の変動回数、出球数等の情報を稼働状況として集計し、集中管理のみでなく、遊技機の大当たりに至るまでの過程をも稼働状況に含める特別構成とすることも可能である。
【００６２】
すなわち、遊技機、例えばパチンコ機の場合には、種々のリーチ予告のみでなく、通常リーチや多種のスーパーリーチの動作画像を有しているとともに、これらの動作画像が現れた際の大当たりに至る信頼度は、パチンコ機の設定により相違することとなるため、送信先にパチンコ機の大当たりに至るまでの過程をリアルタイムに返信するものである。
【００６３】
さすれば、送信先は遊技機であるパチンコ機の大当たりに至るまでの過程をリアルタイムに確認できることによって、パチンコ機の設定状況を把握することが可能となり、パチンコ機の選択をより一層迅速・確実、且つ容易に行うことができ、送信先は情報管理提供システムに加入したことによる恩恵を十分に受けることが可能となる。
【００６４】
なお、パチンコ機の大当たりに至るまでの過程においては、リーチ予告の種類や通常リーチ、そしてスーパーリーチの種類を文字として提供する以外にも、静止画像や動画により提供することが考えられ、パチンコ機の大当たりに至るまでの過程を動画で提供する場合には、通常見ることの出来ない動作画像、例えばプレミアム・スーパーリーチの動作画像を提供することもでき、送信先のパチンコ機に対する興味を拡大させることができるものである。
【図面の簡単な説明】
【００６５】
【図１】この発明の実施例を示す情報管理提供システムの管理会社用サーバの工程図である。
【図２】情報管理提供システムの概略構成図である。
【図３】遊技機管理システムの概略説明図である。
【図４】情報管理提供システムの管理会社用サーバの開示項目を示す図である。
【図５】遊技機情報の管理機種一覧を示す図である。
【図６】遊技機情報の機種情報であるパチンコ機の機種情報を示す図である。
【図７】遊技機情報の機種情報であるスロットマシンの機種情報を示し、（ａ）は題字を示す図、（ｂ）はスロットマシンの概略図、（ｃ）は基本スペックを示す図、（ｄ）はリーチ目を示す図、（ｅ）は入賞図柄を示す図、（ｆ）はリール配列を示す図である。
【図８】パチンコ機の上部に設けられる横長の情報表示部の概略図である。
【図９】パチンコ機の上部に設けられる四角形状の情報表示部を示し、（ａ）は第１の表示例を示す情報表示部の概略図、（ｂ）は第２の表示例を示す情報表示部の概略図、（ｃ）は第３の表示例を示す情報表示部の概略図である。
【図１０】パチンコ機の稼働状況を示す１３時間体感グラフ（出玉推移）である。
【符号の説明】
【００６６】
２  情報管理提供システム
Ａ、Ｂ、Ｃ  店舗
４  遊技機管理システム
４Ａ  第１遊技機管理システム
４Ｂ  第２遊技機管理システム
４Ｃ  第３遊技機管理システム
６  管理会社用サーバ
８  遊技スペース
１０  管理スペース
１２  遊技機
１４−１、１４−２  ＷＥＢカメラ
１６  店舗用管理サーバ
１８  送信先
１８−１  携帯電話
１８−２  端末装置
１８−３  ファクシミリ（「ＦＡＸ」とも記載する。）
１８−４  電話
１８−２  カーナビゲーション
２０  横長の情報表示部
２２−１、２２−２、２２−３  四角形状の情報表示部
【図１】
2006081645.tif 000003
【図２】
2006081645.tif 000004
【図３】
2006081645.tif 000005
【図４】
2006081645.tif 000006
【図５】
2006081645.tif 000007
【図６】
2006081645.tif 000008
【図７】
2006081645.tif 000009
【図８】
2006081645.tif 000010
【図９】
2006081645.tif 000011
【図１０】
2006081645.tif 000012